(57)【要約】【課題】発電機の排熱とヒートポンプの放熱によって熱媒を加熱する加熱装置において、発電機における排熱回収効率と、ヒートポンプにおけるエネルギー効率を高く保ちつつ、加熱後の熱媒の温度を適切に管理することが可能な技術を提供する。【解決手段】本明細書が開示する加熱装置は、発電機と、発電機で生成された電力で駆動するヒートポンプと、熱媒を循環させる熱媒循環路と、発電機の排熱で熱媒循環路を通過する熱媒を加熱する第１熱交換器と、発電機の排熱で、第１熱交換器よりも下流側の第１熱媒循環路を通過する熱媒を加熱する第２熱交換器と、熱媒循環路のうちの第１熱交換器の上流側の部分と、熱媒循環路のうちの第１熱交換器の下流側であって第２熱交換器の上流側である部分とを接続し、熱媒循環路内の熱媒の少なくとも一部を通過させるバイパス路と、ヒートポンプの放熱でバイパス路を通過する熱媒を加熱する第３熱交換器と、を備える。【選択図】図１
2015165177.tif 000002
【特許請求の範囲】
【請求項１】
発電機と、
発電機で生成された電力で駆動するヒートポンプと、
熱媒を循環させる熱媒循環路と、
発電機の排熱で熱媒循環路を通過する熱媒を加熱する第１熱交換器と、
発電機の排熱で、第１熱交換器よりも下流側の熱媒循環路を通過する熱媒を加熱する第２熱交換器と、
熱媒循環路のうちの第１熱交換器の上流側の部分と、熱媒循環路のうちの第１熱交換器の下流側であって第２熱交換器の上流側である部分とを接続し、熱媒循環路内の熱媒の少なくとも一部を通過させるバイパス路と、
ヒートポンプの放熱でバイパス路を通過する熱媒を加熱する第３熱交換器と、を備える、
加熱装置。
【発明の詳細な説明】
【技術分野】
【０００１】
本発明は、加熱装置に関する。
【背景技術】
【０００２】
特許文献１に、加熱装置が開示されている。この加熱装置は、発電機と、発電機で生成された電力で駆動するヒートポンプと、熱媒を循環させる熱媒循環路と、発電機の排熱で熱媒循環路を通過する熱媒を加熱する第１熱交換器と、ヒートポンプの放熱で熱媒循環路を通過する熱媒を加熱する第２熱交換器を備えている。
【先行技術文献】
【特許文献】
【０００３】
【特許文献１】特開２００８ー１８５２４５号公報
【発明の概要】
【発明が解決しようとする課題】
【０００４】
特許文献１の技術では、第１熱交換器と第２熱交換器を単に直列に接続する構成としており、熱媒は第２熱交換器で加熱された後、さらに第１熱交換器で加熱される。このような構成とすると、発電機における排熱回収効率やヒートポンプにおけるエネルギー効率を優先して制御すると、加熱後の熱媒の温度が所望の温度となるように制御することが困難となる。また、加熱後の熱媒の温度が所望の温度となるように制御すると、発電機における排熱回収効率やヒートポンプにおけるエネルギー効率を高めることが困難となる。発電機における排熱回収効率と、ヒートポンプにおけるエネルギー効率を高く保ちつつ、加熱後の熱媒の温度を適切に管理することが可能な技術が期待されている。
【０００５】
本明細書では、発電機の排熱とヒートポンプの放熱によって熱媒を加熱する加熱装置において、発電機における排熱回収効率と、ヒートポンプにおけるエネルギー効率を高く保ちつつ、加熱後の熱媒の温度を適切に管理することが可能な技術を提供する。
【課題を解決するための手段】
【０００６】
本明細書が開示する加熱装置は、発電機と、発電機で生成された電力で駆動するヒートポンプと、熱媒を循環させる熱媒循環路と、発電機の排熱で熱媒循環路を通過する熱媒を加熱する第１熱交換器と、発電機の排熱で、第１熱交換器よりも下流側の第１熱媒循環路を通過する熱媒を加熱する第２熱交換器と、熱媒循環路のうちの第１熱交換器の上流側の部分と、熱媒循環路のうちの第１熱交換器の下流側であって第２熱交換器の上流側である部分とを接続し、熱媒循環路内の熱媒の少なくとも一部を通過させるバイパス路と、ヒートポンプの放熱でバイパス路を通過する熱媒を加熱する第３熱交換器と、を備える。
【０００７】
一般に、発電機における排熱回収効率を高めるためには、第１熱交換器の入口における熱媒の温度と、第２熱交換器の出口における熱媒の温度の差を大きくすることが好ましい。また、ヒートポンプにおけるエネルギー効率を高めるためには、第３熱交換器の入口における熱媒の温度と出口における熱媒の温度の差を小さくする（例えば１０℃程度にする）とともに、第３熱交換器の入口における第１熱媒の温度を比較的低くすることが好ましい。
【０００８】
この点、上記の加熱装置によれば、発電機の排熱が第１熱交換器と第２熱交換器の双方で回収される。特に、第２熱交換器には、第１熱交換器を通過した熱媒と、第３熱交換器を通過した熱媒との双方（即ち、熱媒循環路内の熱媒の全量）が供給されるため、発電機の排熱がより多く回収される。そのため、第１熱交換器の入口における熱媒の温度と、第２熱交換器の出口における熱媒の温度の差を大きくすることが可能であり、発電機における排熱回収効率を高めることができる。また、上記の加熱装置によれば、第３熱交換器には、第１熱交換器に導入される前の比較的低温の熱媒が供給される。そのため、第３熱交換器を通過する第１熱媒の温度上昇幅が比較的小さくなるようにヒートポンプを動かせば、ヒートポンプにおけるエネルギー効率を高くすることができる。さらに、上記の加熱装置によれば、第３熱交換器を通過した熱媒が、第２熱交換器でさらに加熱されるため、第３熱交換器の入口における熱媒の温度と出口における熱媒の温度の差を小さくしても、所望の温度まで熱媒を加熱することができる。そのため、エネルギー効率が高くなるようにヒートポンプを駆動させた場合であっても、最終的な熱媒の温度を所望の温度に調整することが可能となる。従って、発電機における排熱回収効率と、ヒートポンプにおけるエネルギー効率を高く保ちつつ、加熱後の熱媒の温度を適切に管理することができる。
【図面の簡単な説明】
【０００９】
【図１】第１実施例の加熱装置２の構成を模式的に示す図。
【図２】第２実施例の加熱装置２の構成を模式的に示す図。
【発明を実施するための形態】
【００１０】
（第１実施例）
（加熱装置の構成；図１）
図１は、本実施例の加熱装置２の概略の構成を示している。加熱装置２は、主に、発電機４と、冷却水循環路３４と、ヒートポンプ６と、給湯用水循環路８と、第１熱交換器１２と、第２熱交換器１４と、蓄熱槽１６と、第１バイパス路１８と、第３熱交換器２０と、第２バイパス路３０と、補助熱源機５１と、水槽７０と、純水器８０と、改質器８６と、制御装置９０を備えている。
【００１１】
発電機４は、電力を生成するとともに排熱を生成する。本実施例では、発電機４は、水（純水）と燃料ガスとを原料として発電を行う燃料電池である。通常、燃料電池が発電に利用する水は純水である。発電機４は、ＳＯＦＣやＰＥＦＣなどの燃料電池セル６０を備える。燃料電池セル６０は、図示しない燃料極と空気極を有している。発電機４には、改質器８６から、水と燃料ガスとを改質して生成される改質ガスが供給される。また、発電機４には、外部から空気が供給される。燃料電池セル６０は、改質ガスと空気を用いて発電を行う。発電により、二酸化炭素と水蒸気を含む高温の排ガスが生成される。
【００１２】
冷却水循環路３４は、発電機４、第２熱交換器１４、第１熱交換器１２の順に冷却水を循環させ、発電機４で発生する排ガスの排熱を回収して第２熱交換器１４及び第１熱交換器１２に供給する。冷却水循環路３４には、冷却水を上記のように循環させるためのポンプ３６が設けられている。冷却水循環路３４が排ガスの排熱を回収する際には、冷却水循環路３４内の冷却水によって排ガスが冷却され、冷却水循環路３４の周囲に結露水３５が発生する。発生する結露水３５は純水である。結露水３５は、回収されて水槽７０に貯められる。
【００１３】
水槽７０は、発電機４が発電に利用する原料となる水を蓄える。本実施例では、水槽７０内には純水が貯められている。上記のとおり、水槽７０には、発電機４から回収された結露水３５を蓄える。さらに、水槽７０には、純水器８０と補水弁８２が接続されている。純水器８０は、水道水をろ過して純水を生成するろ過装置である。ろ過装置は、例えば、水道水中のカルシウムや塩素等を除去するイオン交換樹脂フィルタを有している。補水弁８２は、純水器８０と水槽７０を接続する管路に介装されている。補水弁８２が開かれると、純水器８０で生成された純水が水槽７０内に供給される。
【００１４】
水槽７０内には、水槽７０内の水位を検出するフロートスイッチ７２が設けられている。フロートスイッチ７２は、フロート７４と、シャフト７６と、電極７８とを備える。フロート７４及びシャフト７６は、水位に応じて上下動する。電極７８は、シャフト７６の上端と対向するように設けられている。水位が所定水位以上になると、シャフト７６が上昇して電極７８に接触し、フロートスイッチ７２がオンされる。一方、水位が所定水位より低くなると、シャフト７６と電極７８とが離れ、フロートスイッチ７２がオフされる。本実施例では、制御装置９０は、フロートスイッチ７２がオフされる場合に、水槽７０内の水が不足していると判断し、補水弁８２を開く制御を行う。
【００１５】
また、水槽７０には、水槽７０内の水を改質器８６に導出するためのポンプ８４が接続されている。ポンプ８４を駆動させることにより、水槽７０内の水が改質器８６に供給される。
【００１６】
改質器８６は、水と燃料ガスとを改質し、発電機４で発電に利用される改質ガスを生成する。改質器８６には、水槽７０内の水と、燃料ガスとが供給される。改質器８６は、生成した改質ガスを発電機４に供給する。
【００１７】
ヒートポンプ６は、冷媒を循環させることで、外気から吸熱して第３熱交換器２０で放熱する。ヒートポンプ６は、発電機４で生成した電力の供給を受けて動作する。ヒートポンプ６は、第３熱交換器２０を通過する冷媒循環路２１を備えている。
【００１８】
蓄熱槽１６は、内部に給湯用水を蓄えることができる。蓄熱槽１６には、給湯用水を循環させる給湯用水循環路８が接続されている。給湯用水循環路８の一端は、蓄熱槽１６の下部に接続され、他端は、蓄熱槽１６の上部に接続されている。給湯用水循環路８は、第１熱交換器１２と第２熱交換器１４を通過している。また、給湯用水循環路８には、循環ポンプ１０が設けられている。
【００１９】
第１熱交換器１２では、第２熱交換器１４を通過した後の冷却水と、蓄熱槽１６から導出された給湯用水との間で熱交換が行われる。これにより、発電機４の排熱で給湯用循環路８を通過する給湯用水を加熱することができる。
【００２０】
第２熱交換器１４では、発電機４で排熱を回収した後の冷却水と、第１熱交換器１２を通過した後の給湯用水との間で熱交換が行われる。これによっても、発電機４の排熱で給湯用循環路８を通過する給湯用水を加熱することができる。
【００２１】
第１バイパス路１８は、給湯用水循環路８のうちの第１熱交換器１２の上流側の部分と、給湯用水循環路８のうちの第１熱交換器１２の下流側であって第２熱交換器１４の上流側の部分とを接続する。第１バイパス路１８は、給湯用水循環路８を通過する給湯用水の一部が通過可能な内径を有する。第１バイパス路１８のうち、第２バイパス路３０の接続箇所より上流側１８ａ（以下では、第１バイパス路上流部１８ａと呼ぶ）は、第３熱交換器２０を通過する。第１バイパス路１８のうち、第２バイパス路３０の接続箇所より下流側１８ｂ（以下では、第１バイパス路下流部１８ｂと呼ぶ）には、第１バイパス路下流部１８ｂを開閉するための開閉弁２２が介装されている。
【００２２】
第３熱交換器２０では、冷媒循環路２１内の冷媒と第１バイパス路１８を通過する給湯用水との間の熱交換が行われる。これにより、ヒートポンプ６の放熱で第１バイパス路１８を通過する給湯用水を加熱することができる。
【００２３】
第２バイパス路３０は、第１バイパス路１８のうちの第３熱交換器２０の下流側の部分（即ち、第１バイパス路上流部ａ１８の下流端）と、給湯用水循環路８のうちの第２熱交換器１４の下流側の部分とを接続する。第２バイパス路３０は、給湯用水循環路８を通過する給湯用水の一部が通過可能な内径を有する。また、第２バイパス路３０には、第２バイパス路３０を開閉する開閉弁３２が介装されている。
【００２４】
加熱装置２には、給水路３９から給湯用水として水道水が供給される。給水路３９は、蓄熱槽給水路４０と蓄熱槽バイパス路４２に分岐している。蓄熱槽給水路４０は蓄熱槽１６の下部に接続している。蓄熱槽１６の上部には、蓄熱槽出水路４４が接続している。蓄熱槽バイパス路４２と蓄熱槽出水路４４は合流して、第１給湯路４６に接続している。蓄熱槽バイパス路４２と蓄熱槽出水路４４の合流箇所には、混合弁３８が設けられている。混合弁３８は、蓄熱槽バイパス路４２から第１給湯路４６に流れる給湯用水の流量と、蓄熱槽出水路４４から第１給湯路４６に流れる給湯用水の流量の比率を調整可能である。
【００２５】
第１給湯路４６は、補助熱源機往路４８と補助熱源機バイパス路５０に分岐している。補助熱源機往路４８は補助熱源機５１に接続している。補助熱源機５１は、ガスの燃焼によって給湯用水を加熱する。補助熱源機５１には補助熱源機復路５２が接続しており、加熱された給湯用水は補助熱源機復路５２へ送られる。補助熱源機バイパス路５０にはバイパス制御弁５６が設けられている。補助熱源機復路５２と補助熱源機バイパス路５０は合流して、第２給湯路５４へ接続している。第２給湯路５４を介して、給湯箇所への給湯が行われる。
【００２６】
制御装置９０は、加熱装置２の各要素と電気的に接続されており、加熱装置２の各要素の動作を制御する。
【００２７】
（加熱装置２の動作）
次いで、本実施例の加熱装置２の動作について説明する。本実施例の加熱装置２は、蓄熱運転と給湯運転を実行可能である。以下、各運転について説明する。
【００２８】
（蓄熱運転）
蓄熱運転は、発電機４及びヒートポンプ６で生成した熱によって蓄熱槽１６内の給湯用水を加熱する運転である。利用者によって蓄熱運転の実行が指示されると、制御装置９０は、まず、ポンプ８４と改質器８６とを動作させ、発電機４において発電を開始させる。
さらに、制御装置９０は、ポンプ３６を動作させ、冷却水循環路３４内の冷却水を循環させる。これにより、冷却水循環路３４内を循環する冷却水によって、発電機４の排熱が回収され、第２熱交換器１４と第１熱交換器１２とに供給される。また、制御装置９０は、発電機４で発生した電力を利用して、ヒートポンプ６を作動させる。これにより、ヒートポンプ６の放熱が第３熱交換器２０に供給される。さらに、制御装置９０は、循環ポンプ１０を動作させるとともに、開閉弁３２を閉じ、開閉弁２２を開く。
【００２９】
開閉弁３２が閉じられ、開閉弁２２が開かれると、第２バイパス路３０が閉じられ、第１バイパス路１８が開かれる。これにより、循環ポンプ１０が動作することによって蓄熱槽１６の下部から送り出される低温の給湯用水のうちの一部が、第１バイパス路１８に導入されて、第３熱交換器２０で加熱される。また、蓄熱槽１６の下部から送り出される低温の給湯用水のうちの他の一部が、第１熱交換器１２で加熱される。第３熱交換器２０で加熱された後の給湯用水は、第１熱交換器１２で加熱された後の給湯用水と合流する。そして、合流後の給湯用水の全量が第２熱交換器１４でさらに加熱される。第２熱交換器１４で加熱された後の高温の給湯用水は、蓄熱槽１６の上部に戻される。以上の給湯用水の流路を以下では「第１の流路」と呼ぶ場合がある。
【００３０】
また、上記の蓄熱運転中に、フロートスイッチ７２がオフされる場合には、制御装置９０は、水槽７０内の水が不足していると判断し、補水弁８２を開いて水槽７０に純水器８０が生成した純水を供給する。
【００３１】
本実施例の加熱装置２において、発電機４における排熱回収効率を高めるためには、第１熱交換器１２の入口における給湯用水の温度と、第２熱交換器１４の出口における給湯用水の温度の差を大きくすることが好ましい。言い換えると、発電機４における排熱回収効率を高めるには、第１熱交換器１２及び第２熱交換器１４における冷却水と給湯用水との熱交換量を大きくし、第１熱交換器１２を通過して発電機４に戻る冷却水の温度を低くすることが好ましい。また、ヒートポンプ６におけるエネルギー効率を高めるためには、第３熱交換器２０の入口における給湯用水の温度と出口における給湯用水の温度の差を小さくする（例えば１０℃程度にする）とともに、第３熱交換器の入口における給湯用水の温度を比較的低くすることが好ましい。
【００３２】
この点、本実施例の加熱装置２によれば、冷却水循環路３４が第２熱交換器１４と第１熱交換器１２の双方を通過している。即ち、発電機４の排熱が第１熱交換器１２と第２熱交換器１４の双方で回収される。特に、第２熱交換器１４には、第１熱交換器１２を通過した給湯用水と、第３熱交換器２０を通過した給湯用水との双方（即ち、蓄熱槽１６から給湯用水循環路８に導入された給湯用水の全量）が供給されるため、発電機４の排熱がより多く回収される。そのため、第１熱交換器１２の入口における給湯用水の温度と、第２熱交換器１４の出口における給湯用水の温度の差を大きくすることが可能であり、発電機４における排熱回収効率を高めることができる。また、本実施例の加熱装置２によれば、第３熱交換器２０には、第３熱交換器２０には、蓄熱槽１６の下部から送り出される低温の給湯用水のうちの一部が供給される。そのため、第３熱交換器２０を通過する給湯用水の温度上昇幅が比較的小さくなるようにヒートポンプ６を動かせば、ヒートポンプ６におけるエネルギー効率を高くすることができる。さらに、本実施例の加熱装置２では、第３熱交換器２０を通過した給湯用水が、第２熱交換器１４でさらに加熱されるため、第３熱交換器２０の入口における給湯用水の温度と出口における給湯用水の温度の差を小さくしても、所望の温度まで給湯用水を加熱することができる。そのため、エネルギー効率が高くなるようにヒートポンプ６を駆動させた場合であっても、最終的な給湯用水の温度を所望の温度に調整することが可能となる。従って、発電機４における排熱回収効率と、ヒートポンプ６におけるエネルギー効率を高く保ちつつ、加熱後の給湯用水の温度を適切に管理することができる。
【００３３】
また、本実施例では、制御装置９０は、状況に応じて、蓄熱運転時の給湯用水の流路を変更することもできる。その場合、制御装置９０は、開閉弁３２を開き、開閉弁２２を閉じる。開閉弁３２が開かれ、開閉弁２２が閉じられると、第２バイパス路３０が開かれ、第１バイパス路下流部１８ｂが閉じられる。これにより、循環ポンプ１０が動作することによって蓄熱槽１６の下部から送り出される低温の給湯用水のうちの一部が、第１バイパス路上流部１８ａに導入されて、第３熱交換器２０で加熱された後、第２熱交換器１４で加熱されることなく、蓄熱槽１６の上部に戻される。また、蓄熱槽１６の下部から送り出される低温の給湯用水のうちの他の一部が、第１熱交換器１２、第２熱交換器１４で順に加熱される。第２熱交換器１４で加熱された後の高温の給湯用水は、第３熱交換器２０で加熱された後の給湯用水と合流して、蓄熱槽１６の上部に戻される。以上の給湯用水の流路を以下では「第２の流路」と呼ぶ場合がある。
【００３４】
上記の通り、本実施例の加熱装置２では、開閉弁２２と開閉弁３２とを開閉することにより、給湯用水の流路を、第１の流路と第２の流路との間で切り替えることができる。従って、本実施例の加熱装置２では、状況に応じて流路を切り替えることにより、発電機４における排熱回収効率と、ヒートポンプ６におけるエネルギー効率と、加熱後の給湯用水の温度と、を最適な範囲に調整することもできる。
【００３５】
（給湯処理）
給湯運転は、蓄熱槽１６内の給湯用水を給湯箇所に供給する運転である。給湯運転は、上記の蓄熱運転中にも実行することができる。給湯箇所の給湯栓が開かれると、給水路３９から水道水が供給され、蓄熱槽給水路４０から蓄熱槽１６の下部に流入する。同時に、蓄熱槽１６の上部から給湯用水が蓄熱槽出水路４４に送り出される。蓄熱槽出水路４４に送り出された給湯用水は、第１給湯路４６、補助熱源機バイパス路５０、第２給湯路５４を通過して給湯箇所の給湯栓に供給される。この際、バイパス制御弁５６は開かれている。
【００３６】
制御装置９０は、蓄熱槽１６から蓄熱槽出水路４４に送り出される給湯用水の温度が、給湯設定温度より高い場合、混合弁３８を調整して、蓄熱槽バイパス路４２から水道水を導入する。従って、蓄熱槽１６から供給された給湯用水と、蓄熱槽バイパス路４２から供給された水道水とが、第１給湯路４６内で混合される。制御装置９０は、給湯栓に供給される水の温度が、給湯設定温度と一致するように、混合弁３８の開度比率を調整する。一方、制御装置９０は、蓄熱槽１６から蓄熱槽出水路４４に供給される給湯用水の温度が、給湯設定温度より低い場合には、バイパス制御弁５６を閉じるとともに、補助熱源機５１を作動させる。従って、蓄熱槽１６から送り出された給湯用水は、補助熱源機５１によって加熱され、給湯箇所の給湯栓に供給される。制御装置９０は、給湯栓に供給される水の温度が、給湯設定温度と一致するように、補助熱源機５１の出力を制御する。
【００３７】
以上、本実施例の加熱装置２の構成、動作、及び、作用効果について説明した。以下、本実施例の記載と特許請求の範囲の記載との対応関係を説明しておく。給湯用水が「熱媒」の一例である。給湯用水循環路８が「熱媒循環路」の一例である。第１バイパス路１８が「バイパス路」の一例である。
【００３８】
（第２実施例）
続いて、図２を参照し、第２実施例の加熱装置２について、第１実施例と異なる点を中心に説明する。図３に示すように、本実施例では、冷却水循環路３４（図１参照）に代えて、排気通路１００を有する点が第１実施例とは異なる。排気通路１００は、発電機４で発生する排ガスを、直接第２熱交換器１４、第１熱交換器１２の順に通過させて、外部に排気するための通路である。第２熱交換器１４では、発電機４で発生した直後の排ガスの熱によって、第１熱交換器を通過した後の給湯用水が加熱される。また、第１熱交換器１２では、第２熱交換器１４を通過した後の排ガスの熱によって、蓄熱槽１６から導出された後の低温の給湯用水が加熱される。また、第２熱交換器１４では、排ガスが蓄熱槽１６から導出された低温の給湯用水によって冷却されるため、給湯用水循環路８の周囲に結露水３５が発生する。発生する結露水３５は純水である。本実施例でも、結露水３５は、回収されて水槽７０に貯められる。
【００３９】
本実施例の加熱装置２も、第１実施例と同様の蓄熱運転と給湯運転を実行可能である。従って、本実施例の加熱装置２も、第１実施例の加熱装置２と同様の作用効果を発揮することができる。
【００４０】
以上、実施例について詳細に説明したが、これらは例示に過ぎず、特許請求の範囲を限定するものではない。特許請求の範囲に記載の技術には、以上に例示した具体例を様々に変形、変更したものが含まれる。
【００４１】
（変形例１）  上記の各実施例では、加熱装置２が、蓄熱運転と給湯運転のみを行う給湯システムである場合の例を説明した。しかし、加熱装置２は、暖房運転をさらに行う給湯暖房システムであってもよい。その場合、暖房に用いられる暖房用熱媒を循環させるための暖房用熱媒循環路が、第１熱交換器１２、第２熱交換器１４、及び、第３熱交換器２０をさらに通過していてもよい。即ち、各熱交換器１２、１４、２０が三液熱交換器であってもよい。また、暖房用熱媒循環路も、給湯用水の流路と同様に、第１の流路と第２の流路との間で切り替え可能に構成されていてもよい。
【００４２】
（変形例２）  上記の各実施例では、発電機４は、水槽７０に貯められた水（純水）と燃料ガスとを原料として発電を行う燃料電池である。発電機は、燃料電池には限られず、ガスエンジン発電機等、排熱を発生させる発電機であれば任意のものを用いてもよい。
【００４３】
（変形例３）  上記の各実施例において、開閉弁２２、第２バイパス路３０、及び、開閉弁３２を省略してもよい。即ち、給湯用水が、常時上記の第１の流路に沿って流れるように構成されていてもよい。
【００４４】
（変形例４）  上記の各実施例では、第１バイパス路１８及び第２バイパス路３０は、蓄熱槽１６から給湯用水循環路８に供給された給湯用水のうちの一部を通過させることができる内径に形成されている。これに限られず、第１バイパス路１８及び第２バイパス路３０が、蓄熱槽１６から給湯用水循環路８に供給された給湯用水の全量を通過させることができる内径に形成されていてもよい。
【００４５】
（変形例５）  上記の各実施例では、制御装置９０は、開閉弁２２、３２のうちの一方を開いている場合、他方を閉じるように制御する。これに限られず、制御装置９０は、開閉弁２２、３２の双方を同時に閉じるように制御してもよい。
【００４６】
本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００４７】
２：加熱装置
４：発電機
６：ヒートポンプ
８：給湯用水循環路
１０：循環ポンプ
１２：第１熱交換器
１４：第２熱交換器
１６：蓄熱槽
１８：第１バイパス路
１８ａ：第１バイパス路上流部
１８ｂ：第１バイパス路下流部
２０：第３熱交換器
２１：冷媒循環路
２２：開閉弁
３０：第２バイパス路
３２：開閉弁
３４：冷却水循環路
３５：結露水
３６：ポンプ
３８：混合弁
３９：給水路
４０：蓄熱槽給水路
４２：蓄熱槽バイパス路
４４：蓄熱槽出水路
４６：第１給湯路
４８：補助熱源機往路
５０：補助熱源機バイパス路
５１：補助熱源機
５２：補助熱源機復路
５４：第２給湯路
５６：バイパス制御弁
６０：燃料電池セル
７０：水槽
７２：フロートスイッチ
７４：フロート
７６：シャフト
７８：電極
８０：純水器
８２：補水弁
８４：ポンプ
８６：改質器
９０：制御装置
【図１】
2015165177.tif 000003
【図２】
2015165177.tif 000004